(57)【要約】【課題】  ロック解除レバーの小型化が可能なコネクタ装置における接続ロック解除構造の提供。【解決手段】  配線を接続可能な雄側コネクタハウジング４と雌側コネクタハウジング３で構成され、雌側コネクタハウジング３に備えた係合孔３１に雄側コネクタハウジング４に備えた係合爪４１ａを係合させて接続ロックさせるように構成されたコネクタ装置において、雌側コネクタハウジング３はモータファンシュラウド１に対し固定された状態で備えられ、該モータファンシュラウド１には係合孔１１に対する係合爪４１ａの係合状態を解除する方向にロック解除レバー４１の自由端Ｇ側を押し込むロック解除レバー操作部１２が備えられ、該ロック解除レバー操作部１２は、力点Ｐと作用点Ｋと作用点Ｋ側に近い支点Ｑとを有するてこ状で、力点Ｐを押すことにより作用点Ｋがロック解除レバー４１の自由端Ｇ側を所定の倍力で押し込むように構成される。【選択図】      図２
2008171684.tif 000002
【特許請求の範囲】
【請求項１】
配線を接続可能な雄側コネクタハウジングと雌側コネクタハウジングで構成され、前記雌側コネクタハウジングに備えた係合部に前記雄側コネクタハウジングに備えた係合爪を係合させて接続ロックさせるように構成され、前記係合爪は前記雄側コネクタハウジングに対し片持ち支持されたロック解除レバーの中途部に備えられたコネクタ装置において、
前記雌側コネクタハウジングは基板に対し固定された状態で備えられ、
該基板には前記係合部に対する係合爪の係合状態を解除する方向に前記ロック解除レバーの自由端側を押し込むロック解除レバー操作部が備えられ、
該ロック解除レバー操作部は、力点と作用点と作用点側に近い支点とを有するてこ状で、力点を押すことにより作用点が前記ロック解除レバーの自由端側を所定の倍力で押し込むように構成されていることを特徴とするコネクタ装置における接続ロック解除構造。
【請求項２】
請求項１に記載のコネクタ装置における接続ロック解除構造において、前記雌側コネクタハウジングが前記基板に対し着脱可能に構成されていることを特徴とするコネクタ装置における接続ロック解除構造。
【請求項３】
請求項１または２に記載のコネクタ装置における接続ロック解除構造において、前記ロック解除レバー操作部が前記基板と一体に形成されていることを特徴とするコネクタ装置における接続ロック解除構造。
【請求項４】
請求項１〜３のいずれか１項に記載のコネクタ装置における接続ロック解除構造において、前記基板がモータファンシュラウドであることを特徴とするコネクタ装置における接続ロック解除構造。
【発明の詳細な説明】
【技術分野】
【０００１】
本発明は、配線を接続するコネクタ装置における接続ロック解除構造に関する。
【背景技術】
【０００２】
従来、自動車用モータファンにおいて、車両側電源との接続を容易にするために各種コネクタが用いられており、それらのコネクタには、着脱性と引っ張りに対する強度を両立させるために、ロック構造を備えているものが多く、コネクタハウジングに設けられたロック用係合爪及びロック解除レバーにより、引っ張りに対する抜け力を保ちつつ、着脱作業が可能となっている（例えば、特許文献１、２参照。）。
【特許文献１】特開２０００−１８８１５７号公報
【特許文献２】特開２０００−１４７３２３号公報
【発明の開示】
【発明が解決しようとする課題】
【０００３】
しかしながら、引っ張りに対する耐力を保つためには、ロック用係合爪の大型化や、ロック解除レバーの強度アップが効果的であるが、同時に、ロック解除のためにロック解除レバーに加えなければならない力が大きくなり、着脱作業が困難になる虞がある。その場合、ロック解除を容易にするためにはロック解除レバーを長くする必要があり、そうすると、ロック解除レバーのストロークが大きくなると共に、コネクタ外径寸法の大型化につながってしまう、という問題がある。
【０００４】
本発明の解決しようとする課題は、ロック解除レバーを長くすることなしに、抜けに対する耐力を保ちながら、小さな力でロック解除することができるコネクタ装置における接続ロック解除構造を提供することにある。
【課題を解決するための手段】
【０００５】
上記課題を解決するため請求項１記載のコネクタ装置における接続ロック解除構造は、配線を接続可能な雄側コネクタハウジングと雌側コネクタハウジングで構成され、前記雌側コネクタハウジングに備えた係合部に前記雄側コネクタハウジングに備えた係合爪を係合させて接続ロックさせるように構成され、前記係合爪は前記雄側コネクタハウジングに対し片持ち支持されたロック解除レバーの中途部に備えられたコネクタ装置において、前記雌側コネクタハウジングは基板に対し固定された状態で備えられ、該基板には前記係合部に対する係合爪の係合状態を解除する方向に前記ロック解除レバーの自由端側を押し込むロック解除レバー操作部が備えられ、該ロック解除レバー操作部は、力点と作用点と作用点側に近い支点とを有するてこ状で、力点を押すことにより作用点が前記ロック解除レバーの自由端側を所定の倍力で押し込むように構成されていることを特徴とする手段とした。
【発明の効果】
【０００６】
本発明のコネクタ装置における接続ロック解除構造では、上述のように、雌側コネクタハウジングは基板に対し固定された状態で備えられ、該基板には係合部に対する係合爪の係合状態を解除する方向にロック解除レバーの自由端側を押し込むロック解除レバー操作部が備えられ、該ロック解除レバー操作部は、力点と作用点と作用点側に近い支点とを有するてこ状で、力点を押すことにより作用点が前記ロック解除レバーの自由端側を所定の倍力で押し込むように構成されたことで、コネクタ側に備えるロック解除レバーを長くすることなしに、抜けに対する耐力を保ちながら、小さな力でロック解除することができるようになるという効果が得られる。
【発明を実施するための最良の形態】
【０００７】
以下にこの発明の実施例を図面に基づいて説明する。
【実施例１】
【０００８】
この実施例１のコネクタ装置における接続ロック解除構造は、請求項１、３、４に記載の発明に対応する。
【０００９】
まず、この実施例１のコネクタ装置における接続ロック解除構造を図面に基づいて説明する。
【００１０】
図１はこの実施例１のコネクタ装置における接続ロック解除構造を示す斜視図、図２は実施例１のコネクタ装置における接続ロック解除工程を示す断面説明図である。
【００１１】
このコネクタ装置における接続ロック解除構造は、モータファンシュラウド（基板）１と、コネクタ装置２と、を備えている。
【００１２】
さらに詳述すると、上記モータファンシュラウド１は、図外のモータファンで取り込んだ空気を側方へ逃がさないようにするため、図外の熱交換器とモータファンの周りとの間を覆って空気流をガイドする役目をなすものであって、全体が合成樹脂で一体に形成されている。
【００１３】
また、このモータファンシュラウド１には図外の熱交換器が付設され、その中央には図外のモータファンが収容されるようになっている。
【００１４】
そして、このモータファン等の電装部品に電源を供給するハーネスＨを配索させるようになっている。
【００１５】
上記コネクタ装置２は、雌側コネクタハウジング３と、雄側コネクタハウジン４とで構成されていて、雄側コネクタハウジング４を雌側コネクタハウジング３内に差し込むことにより、両ハーネスＨの両端部が電気的に接続されると同時に、雌側コネクタハウジング３に備えた係合孔（係合部）３１に前記雄側コネクタハウジング４に備えた係合爪４１ａが係合して接続ロックされるようになっている。
【００１６】
上記係合爪４１ａは、雄側コネクタハウジング４の底面側外壁に対し片持ち支持されたロック解除レバー４１の中途部に備えられるもので、このロック解除レバー４１は雄側コネクタハウジング４の底壁４２をコ字状に切り抜いた状態で形成されている。
【００１７】
上記雌側コネクタハウジング３は、モータファンシュラウド１に突出形成された基台部１１に対し溶着固定された状態で備えられている。
【００１８】
そして、モータファンシュラウド１には、係合孔３１に対する係合爪４１ａの係合状態を解除する方向にロック解除レバー４１の自由端Ｇ側を押し込むロック解除レバー操作部１２が一体に形成されている。
【００１９】
このロック解除レバー操作部１２は、力点Ｐと作用点Ｋと作用点Ｋ側に近い支点Ｑとを有するてこ状で、力点Ｐを押すことにより作用点Ｋがロック解除レバー４１の自由端Ｇ側を所定の倍力で押し込むように構成されている。
【００２０】
次に、この実施例１の作用を図２に基づいて説明する。
【００２１】
この実施例１のコネクタ装置における接続ロック解除構造では上述のように構成されるため、雄側コネクタハウジング４を雌側コネクタハウジング３内に差し込むことにより、係合爪４１ａが係合孔３１に係合した図２（イ）の接続状態から、図２（ロ）に示すように、ロック解除レバー操作部１２の力点Ｐをモータファンシュラウド１の内側へ押し込むと、支点Ｑを中心として回動し、作用点Ｋがロック解除レバー４１の自由端Ｇ側を所定の倍力で内側へ押し込み、これにより、係合孔３１に対する係合爪４１ａの係合状態が容易に解除されるため、図２（ハ）、（ニ）に示すように、雄側コネクタハウジング４を雌側コネクタハウジング３内より引き抜くことができる。
【００２２】
次に、この実施例１の効果を説明する。
【００２３】
この実施例１のコネクタ装置における接続ロック解除構造では、上述のように、
雌側コネクタハウジング３はモータファンシュラウド１に対し固定された状態で備えられ、該モータファンシュラウド１には係合孔１１に対する係合爪４１ａの係合状態を解除する方向にロック解除レバー４１の自由端Ｇ側を押し込むロック解除レバー操作部１２が備えられ、該ロック解除レバー操作部１２は、力点Ｐと作用点Ｋと作用点Ｋ側に近い支点Ｑとを有するてこ状で、力点Ｐを押すことにより作用点Ｋがロック解除レバー４１の自由端Ｇ側を所定の倍力で押し込むように構成されたことで、コネクタ側に備えるロック解除レバー４１を長くすることなしに、抜けに対する耐力を保ちながら、小さな力でロック解除することができるようになるという効果が得られる。
【００２４】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００２５】
この実施例２は、実施例１におけるコネクタ装置における接続ロック解除構造の変形例を示すものであり、図３の斜視図に示すように、ロック解除レバー操作部１３がモータファンシュラウド１とは別体に形成されている点が上記実施例１とは相違したものである。
【００２６】
即ち、モータファンシュラウド１には、別体のロック解除レバー操作部１３を回動自在に収容する収容凹部１４と、該収容凹部１４の底部にロック解除レバー操作部１３の支点Ｑを支持する支軸１５が形成され、このロック解除レバー操作部１３の支点Ｑには支軸１５に対し回動自在に係合する断面切欠円状の軸支孔１３ａが形成されている。
【００２７】
この実施例２では、上述のように構成されるため、支軸１５に対し軸支孔１３ａを係合させることにより、ロック解除レバー操作部１３をモータファンシュラウド１に対し支点Ｑを中心として回動自在に組み付けることができる。
【００２８】
従って、この実施例２では、実施例１と同様の効果が得られる他に、ロック解除レバー操作部１３が別体に形成されることで、モータファンシュラウド１と一体に形成した場合に比べて、破損した場合に新しい部品と交換することにより容易に復元させることができるようになるという追加の効果が得られる。
【００２９】
以上本実施例を説明してきたが、本発明は上述の実施例に限られるものではなく、本発明の要旨を逸脱しない範囲の設計変更等があっても、本発明に含まれる。
【００３０】
例えば、実施例では、ハーネスＨが配索される基板として、モータファンシュラウド１を例示したが、全てのハーネス配索部に適用することができる。
【００３１】
また、別体に形成した雌側コネクタハウジング３を基板に対し着脱自在に取り付けるようにしてもよく、その場合、ねじによる場合の他に、差し込み形状としてもよい。
【図面の簡単な説明】
【００３２】
【図１】実施例１のコネクタ装置における接続ロック解除構造を示す斜視図である。
【図２】実施例１のコネクタ装置における接続ロック解除工程を示す断面説明図である。
【図３】実施例２のコネクタ装置における接続ロック解除構造を示す斜視図である。
【符号の説明】
【００３３】
Ｈ  ハーネス
Ｓ  触媒担体
Ｑ  支点
Ｋ  作用点
Ｐ  力点
Ｇ  自由端
１  モータファンシュラウド（基板）
１１  基台部
１２  ロック解除レバー操作部
１３  ロック解除レバー操作部
１３ａ  軸支孔
１４  凹部
１５  支軸
２  コネクタ装置
３  雌側コネクタハウジング
３１  係合孔（係合部）
４  雄側コネクタハウジング
４１  ロック解除レバー
４１ａ  係合爪
４２  底壁
【図１】
2008171684.tif 000003
【図２】
2008171684.tif 000004
【図３】
2008171684.tif 000005